(57)【要約】      （修正有）【課題】電子機器のディスプレイにディスプレイ用フィルムを簡単かつ正確に貼り付け可能なフィルム貼付装置を提供する。【解決手段】フィルム貼付装置１が、電子機器を収容保持可能な凹部が設けられた収容部材１０と、位置決め用フィルム、位置決め用フィルムに取り外し可能に接続されたディスプレイ用フィルムおよび位置決め用フィルムと共にディスプレイ用フィルムを挟むようにディスプレイ用フィルムに取り外し可能に接続された保護部材を有するフィルムセット２０とを備える。フィルムセット２０が、ディスプレイ用フィルムが凹部に収容保持１０された電子機器のディスプレイに対して位置決めされた状態で、位置決め用フィルムの一端部が作業面における凹部の外側に固定されて、位置決め用フィルムの一端部を支点として回転可能に構成されている。【選択図】図１
0003220617.tif 000002
【実用新案登録請求の範囲】
【請求項１】
ディスプレイが配置された表面と前記表面に相対する裏面とを有する電子機器の前記ディスプレイに、ディスプレイ用フィルムを貼り付けるためのフィルム貼付装置であって、
前記電子機器を前記ディスプレイが露出した状態で収容保持可能な凹部が設けられた作業面を有する収容部材と、
前記作業面を被覆可能な位置決め用フィルムと、前記位置決め用フィルムに取り外し可能に接続された前記ディスプレイ用フィルムと、前記位置決め用フィルムと共に前記ディスプレイ用フィルムを挟むように前記ディスプレイ用フィルムに取り外し可能に接続された保護部材とを有するフィルムセットと
を備え、
前記フィルムセットは、
前記ディスプレイ用フィルムが前記凹部に収容保持された前記電子機器の前記ディスプレイに対して位置決めされた状態で、前記位置決め用フィルムの一端部が前記作業面における前記凹部の外側に固定されて、前記位置決め用フィルムの一端部を支点として回転可能であると共に、
前記フィルムセットの回転方向において、前記保護部材が前記位置決め用フィルムよりも前記収容部材の近くに配置されている、フィルム貼付装置。
【請求項２】
前記ディスプレイ用フィルムが、ガラスフィルムであり、
前記位置決め用フィルムが、前記位置決め用フィルムの厚さ方向に貫通する貫通孔を有し、前記貫通孔を介して、前記ディスプレイ用フィルムに取り付けられた状態で前記ディスプレイ用フィルムを前記フィルムセットの回転方向に引っ張り可能な治具が、前記ディスプレイ用フィルムに取り付けられる、請求項１のフィルム貼付装置。
【請求項３】
前記貫通孔が、
前記フィルムセットの回転軸に直交する方向において、前記位置決め用フィルムの中心線よりも前記回転軸から離れて配置されている、請求項２のフィルム貼付装置。
【請求項４】
前記収容部材が、
前記作業面における前記凹部の外部に設けられ、前記位置決め用フィルムの前記一端部を保持して前記ディスプレイ用フィルムを前記ディスプレイに対して位置決め可能な位置決め部を有する、請求項１から３のいずれか１つのフィルム貼付装置。
【考案の詳細な説明】
【技術分野】
【０００１】
本考案は、フィルム貼付装置に関する。
【背景技術】
【０００２】
特許文献１には、携帯電子機器のディスプレイ部に保護フィルムを貼着するための保護フィルム貼着用器具が開示されている。この保護フィルム貼着用器具は、携帯電子機器が収容されるケースと、ケースに回動可能に設けられてケースを開閉するカバーと、電子機器と対向するようにカバーに設けられるフィルム部材とを備えている。
【先行技術文献】
【特許文献】
【０００３】
【特許文献１】特許６１５９４５１号公報
【考案の概要】
【考案が解決しようとする課題】
【０００４】
前記保護フィルム貼着用器具では、カバーにフィルム部材を収容し、ケースに対してカバーを回動させてケースを閉じることで、フィルム部材をケースに収容された携帯電子機器に容易に取り付けることができるように構成されている。
【０００５】
しかし、前記保護フィルム貼着用器具では、ケースをカバーに対して回動させる際に、フィルム部材が所定位置からずれて、フィルム部材を携帯電子機器のディスプレイ部に正確に取り付けることができない可能性がある。このため、フィルム部材を携帯電子機器のディスプレイ部に対してより簡単かつ正確に貼着したいという要望があった。
【０００６】
本考案は、電子機器のディスプレイにディスプレイ用フィルムを簡単かつ正確に貼り付け可能なフィルム貼付装置を提供することを課題とする。
【課題を解決するための手段】
【０００７】
本考案の一態様のフィルム貼付装置は、
ディスプレイが配置された表面と前記表面に相対する裏面とを有する電子機器の前記ディスプレイに、ディスプレイ用フィルムを貼り付けるためのフィルム貼付装置であって、
前記電子機器を前記ディスプレイが露出した状態で収容保持可能な凹部が設けられた作業面を有する収容部材と、
前記作業面を被覆可能な位置決め用フィルムと、前記位置決め用フィルムに取り外し可能に接続された前記ディスプレイ用フィルムと、前記位置決め用フィルムと共に前記ディスプレイ用フィルムを挟むように前記ディスプレイ用フィルムに取り外し可能に接続された保護部材とを有するフィルムセットと
を備え、
前記位置決め用フィルムの一端部が前記作業面における前記凹部の外側に固定されて、前記フィルムセットが前記位置決め用フィルムの一端部を支点として回転可能であると共に、
前記フィルムセットの回転方向において、前記保護部材が前記位置決め用フィルムよりも前記収容部材の近くに配置されている。
【考案の効果】
【０００８】
前記態様のフィルム貼付装置によれば、ディスプレイ用フィルムが収容部材の凹部に収容保持された電子機器のディスプレイに対して位置決めされた状態で、位置決め用フィルムの一端部が収容部材の作業面における凹部の外側に固定されて、位置決め用フィルムの一端部を支点として回転可能に構成されている。このような構成により、ディスプレイ用フィルムを電子機器のディスプレイに簡単かつ正確に貼り付け可能なフィルム貼付装置を実現できる。
【図面の簡単な説明】
【０００９】
【図１】本考案の一実施形態のフィルム貼付装置を示す第１の斜視図。
【図２】図１のフィルム貼付装置を示す第２の斜視図。
【図３】図１のフィルム貼付装置を示す第３の斜視図。
【図４】図１のフィルム貼付装置を示す側面図。
【図５】図１のフィルム貼付装置のフィルムセットを示す平面図。
【図６】図１のフィルム貼付装置の使用方法を説明するための第１の説明図。
【図７】図１のフィルム貼付装置の使用方法を説明するための第２の説明図。
【図８】図１のフィルム貼付装置の使用方法を説明するための第３の説明図。
【図９】図１のフィルム貼付装置の変形例を示す斜視図。
【考案を実施するための形態】
【００１０】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１１】
本考案の一実施形態のフィルム貼付装置１は、図１に示すように、収容部材１０と、フィルムセット２０とを備えている。一例として、収容部材１０およびフィルムセット２０の各々は、厚さ方向から見て、略矩形状を有している。フィルムセット２０は、その長手方向の一端部（以下、固定端部という。）２０１が収容部材１０に固定されて、固定端部２０１を支点として回転して、後述する収容部材１０の凹部１２を開閉可能に構成されている（図１〜図３参照）。
【００１２】
収容部材１０は、例えば、ポリエチレンテレフタレート、ポリ塩化ビニル、あるいは、ポリスチレンで構成されている。この収容部材１０は、図２および図３に示すように、板状で、その板面の一方が作業面１１を構成している。
【００１３】
作業面１１には、略矩形状の開口部１２１を有する凹部１２が設けられている。この凹部１２は、ディスプレイ１１０が配置された表面１０１と表面１０１に相対する裏面１０２とを有する電子機器１００（例えば、スマートフォン、あるいは、携帯型ゲーム機）をディスプレイ１１０が外部に露出した状態で収容保持可能に構成されている。電子機器１００のディスプレイ１１０は、一例として略矩形状を有している。すなわち、凹部１２は、作業面１１に直交する方向から見て、凹部１２に収容された電子機器１００が収容部材１０に対して移動しないように形成されている。凹部１２の深さは、電子機器１００を収容したときにディスプレイ１１０が配置された表面１０１が、収容部材１０の作業面１１と略面一になるように設定されている。
【００１４】
凹部１２の底面には、収容部材１０の板厚方向に貫通する略円形状の貫通孔１６が設けられている。この貫通孔１６を介して、収容部材１０の板面の他方側から凹部１２に収容された電子機器１００を押圧することで、凹部１２に収容された電子機器１００を凹部１２から容易に取り出すことができる。
【００１５】
図２に示すように、作業面１１における凹部１２の外部には、位置決め部１３が設けられている。位置決め部１３は、後述するフィルムセット２０の位置決め用フィルム２２の一部を保持して、ディスプレイ用フィルム２１を電子機器１００のディスプレイ１１０に対して位置決めする。
【００１６】
詳しくは、位置決め部１３は、作業面１１から作業面１１に交差（例えば、直交）する方向に突出する略円柱状の２つの突起１３１、１３２で構成されている。各突起１３１、１３２は、作業面１１に直交する方向から見て、凹部１２に対する収容部材１０の長手方向の一方側でかつ凹部１２に隣接して配置されていると共に、収容部材１０の短手方向に間隔を空けて配置されている。各突起１３１、１３２は、後述する位置決め用フィルム２２の貫通孔２２１に挿入されて、位置決め用フィルム２２を２点で係止保持可能に構成されている。
【００１７】
収容部材１０のその長手方向における各突起１３１、１３２に近い方の端部には、第１切欠部１４が設けられている。この第１切欠部１４は、収容部材１０の短手方向における各突起１３１、１３２の間に配置され、収容部材１０の外周縁から凹部１２に向かって延びている。このように第１切欠部１４を設けることで、フィルム貼付装置１を既存の引っ掛け式商品棚に陳列し易くしている。なお、第１切欠部１４は省略しても構わない。
【００１８】
収容部材１０のその長手方向における各突起１３１、１３２から遠い方の端部には、第２切欠部１５が設けられている。この第２切欠部１５は、凹部１２の開口部１２１のその短手方向の中央に配置され、作業面１１から収容部材１０の板厚方向に延びている。この第２切欠部１５を設けることで、凹部１２の開口部１２１を覆った状態のフィルムセット２０の先端部２０２（すなわち、フィルムセット２０の長手方向における固定端部２０１の反対側の端部）を指で掴み易くしている。なお、第２切欠部１５は、省略しても構わない。
【００１９】
フィルムセット２０は、図４に示すように、厚さ方向に積層された３つの部材（すなわち、ディスプレイ用フィルム２１、位置決め用フィルム２２、および、保護部材２３）を有している。このフィルムセット２０では、ディスプレイ用フィルム２１が、位置決め用フィルム２２および保護部材２３で挟まれるように積層されている。
【００２０】
ディスプレイ用フィルム２１は、例えば、ガラスフィルムで構成され、電子機器１００のディスプレイ１１０と略同一の形状（すなわち、略矩形状）および大きさを有している。ディスプレイ用フィルム２１の積層方向における一方の面には、接着層（図示せず）が設けられており、この接着層を介して保護部材２３がディスプレイ用フィルム２１に取り外し可能に接続されている。
【００２１】
なお、ディスプレイ用フィルム２１を構成するガラスフィルムは、例えば、２Ｄガラスフィルム、あるいは、２．５Ｄガラスフィルム、あるいは、３Ｄガラスフィルムであってもよい。２Ｄガラスフィルムは、厚さ方向の一対の面が共に平面のガラスフィルムである。２．５Ｄガラスフィルムは、厚さ方向の一対の面のうちの一方の面が平面で他方の面の端部が曲面のガラスフィルムである。また、３Ｄガラスフィルムは、厚さ方向の各面が相互に異なる複数の面で構成されたガラスフィルムである。
【００２２】
また、ディスプレイ用フィルム２１は、ガラスフィルムに限らず、例えば、ポリエチレンテレフタレート、熱可塑性ポリウレタン、ガラス、あるいは、ポリエチレンテレフタレートおよび熱可塑性ポリウレタンの混合材料で構成された樹脂フィルムであってもよい。
【００２３】
位置決め用フィルム２２は、例えば、ポリエチレンテレフタレート、ポリエチレン、あるいは、２軸延伸ポリプロピレンで構成され、図５に示すように、収容部材１０の作業面１１と略同一の形状（すなわち、略矩形状）および大きさを有している。この実施形態では、位置決め用フィルム２２は、約０．１６ｍｍの厚さを有している。位置決め用フィルム２２のその長手方向の一端部は、接着剤を用いて収容部材１０に固定されてフィルムセット２０の固定端部２０１を構成している。また、位置決め用フィルム２２のその長手方向の他端部は、フィルムセット２０の先端部２０２を構成している。
【００２４】
位置決め用フィルム２２のその長手方向における固定端部２０１側の端部には、２つの貫通孔２２１（以下、位置決め用貫通孔２２１という。）が設けられている。各位置決め用貫通孔２２１は、位置決め用フィルム２２の短手方向（すなわち、幅方向）に間隔を空けて配置されて、収容部材１０の各突起１３１、１３２がそれぞれ挿入可能に構成されている。位置決め用フィルム２２の積層方向における一方の面には、例えば、シリコン、あるいは、アクリルで構成された接着層（図示せず）が設けられており、この接着層を介してディスプレイ用フィルム２１が位置決め用フィルム２２に取り外し可能に接続されている。
【００２５】
位置決め用フィルム２２のその長手方向における先端部２０２側の端部には、位置決め用フィルム２２をその厚方向に貫通する貫通孔２２２（以下、治具用貫通孔２２２という。）が設けられている。治具用貫通孔２２２は、一例として、略円形状を有し、保護部材２３をディスプレイ用フィルム２１から取り外すための治具２（図７に示す）を位置決め用フィルム２２に接触することなくディスプレイ用フィルム２１に取り付け可能に構成されている。なお、治具用貫通孔２２２の形状は、略円形状に限らず、略四角形状であってもよいし、略Ｕ字状であってもよい。また、治具２は、治具用貫通孔２２２の一部または全部を介してディスプレイ用フィルム２１に取り付けられた状態でディスプレイ用フィルム２１をフィルムセット２０の回転方向に引っ張り可能に構成されている。
【００２６】
なお、この実施形態では、治具用貫通孔２２２は、図５に示すように、フィルムセット２０の回転軸２０３に直交する方向（すなわち、位置決め用フィルム２２の長手方向）において、位置決め用フィルム２２の中心線ＣＬよりも回転軸２０３（すなわち、固定端部２０１）から離れて配置されている。
【００２７】
保護部材２３は、例えば、ポリカーボネートで構成され、ディスプレイ用フィルム２１と略同一の形状（すなわち、略矩形状）および大きさを有している。この実施形態では、保護部材２３は、約１ｍｍの厚さを有している。
【００２８】
保護部材２３の先端部２０２側の端部には、円弧状の突出部２３１が設けられている。この突出部２３１により、保護部材２３を指で掴み易くして、ディスプレイ用フィルム２１から取り外し易くしている。なお、突出部２３１は、省略しても構わない。
【００２９】
ディスプレイ用フィルム２１として樹脂フィルムを用いた場合、例えば、ポリエチレンテレフタレートで構成されたフィルムを保護部材２３として用いることができる。
【００３０】
次に、前記フィルム貼付装置１を用いて、電子機器１００のディスプレイ１１０にディスプレイ用フィルム２１を貼り付ける方法について説明する。
【００３１】
まず、図６に示すように、フィルムセット２０を回転させて収容部材１０の凹部１２を開放して、凹部１２に電子機器１００をディスプレイ１１０が開口部１２１から露出した状態で収容する。
【００３２】
続いて、図７に示すように、位置決め用フィルム２２の治具用貫通孔２２２を介して、治具２をディスプレイ用フィルム２１に取り付ける。そして、保護部材２３および治具２のそれぞれをフィルムセット２０の回転方向における反対方向に外力Ｆ１およびＦ２を加えて、保護部材２３をディスプレイ用フィルム２１から取り外す。
【００３３】
次に、図８に示すように、保護部材２３を取り外したフィルムセット２０を回転させて、凹部１２を閉鎖して、ディスプレイ用フィルム２１の接着層を電子機器１００のディスプレイ１１０に接触させる。これにより、ディスプレイ用フィルム２１が、電子機器１００のディスプレイ１１０に対して正確に位置決めされた状態で貼り付けられる。この実施形態では、ディスプレイ用フィルム２１としてガラスフィルムを用いているので、ガラスフィルムは樹脂フィルムと比べて、電子機器１００のディスプレイ１１０との間に気泡ができ難い。このため、保護部材２３をディスプレイ用フィルム２１から一度に全て取り外して、ディスプレイ用フィルム２１をディスプレイ１１０に一気に貼り付けることができる。
【００３４】
最後に、位置決め用フィルム２２をディスプレイ用フィルム２１から取り外して、電子機器１００のディスプレイ１１０に対するディスプレイ用フィルム２１の貼り付けを終了する。
【００３５】
前記フィルム貼付装置１では、ディスプレイ用フィルム２１が収容部材１０の凹部１２に収容保持された電子機器１００のディスプレイ１１０に対して位置決めされた状態で、位置決め用フィルム２２の一端部２０１が収容部材１０の作業面１１における凹部１２の外側に固定されて、位置決め用フィルム２２の一端部２０１を支点として回転可能に構成されている。フィルム貼付装置１を用いることにより、ユーザが、ディスプレイ用フィルム２１を電子機器１００のディスプレイ１１０に対して位置決めすることなく、収容部材１０の凹部１２に電子機器１００を収容して、保護部材２３を取り外したフィルムセット２０を回転させるだけで、ディスプレイ用フィルム２１を電子機器１００のディスプレイ１１０に対して正確に位置決めされた状態で貼り付けることができる。すなわち、このような構成により、ディスプレイ用フィルム２１を電子機器１００のディスプレイ１１０に簡単かつ正確に貼り付け可能なフィルム貼付装置１を実現できる。
【００３６】
また、ディスプレイ用フィルム２１が、ガラスフィルムであり、位置決め用フィルム２２が、位置決め用フィルム２２の厚さ方向に貫通する治具用貫通孔２２２を有し、この治具用貫通孔２２２を介して、ディスプレイ用フィルム２１に取り付けられた状態でディスプレイ用フィルム２１をフィルムセット２０の回転方向に引っ張り可能な治具２が、ディスプレイ用フィルム２１に取り付けられる。このような構成により、ディスプレイ用フィルム２１を位置決め用フィルム２２から取り外すことなく、保護部材２３をディスプレイ用フィルム２１から容易に取り外すことができる。
【００３７】
また、治具用貫通孔２２２が、フィルムセット２０の回転軸に直交する方向において、位置決め用フィルム２２の中心線ＣＬよりも回転軸（すなわち、固定端部２０１）から離れて配置されている。このような構成により、ディスプレイ用フィルム２１を位置決め用フィルム２２から取り外すことなく、保護部材２３をディスプレイ用フィルム２１からより容易かつより確実に取り外すことができる。
【００３８】
また、収容部材１０が、作業面１１における凹部１２の外部に設けられ、位置決め用フィルム２２の一端部２０１を保持してディスプレイ用フィルム２１をディスプレイ１１０に対して位置決め可能な位置決め部１３を有している。このような構成により、フィルムセット２０を収容部材１０に対して容易かつ簡単に位置決めすることができる。その結果、ディスプレイ用フィルム２１を電子機器１００のディスプレイ１１０に簡単かつ正確に貼り付け可能なフィルム貼付装置１を容易に提供することができる。
【００３９】
なお、位置決め部１３は、例えば、図９に示すように、省略することができる。この場合、フィルムセット２０を収容部材１０に対して位置決めすることができる他の構成をフィルム貼付装置１に設けてもよい。
【００４０】
フィルムセット２０の固定端部２０１は、この固定端部２０１を支点としてフィルムセット２０が回転可能に収容部材１０に固定される構成であれば、任意の構成を採用することができる。すなわち、接着剤を用いるに限らず、他の任意の構成を用いて、位置決め用フィルム２２のその長手方向の一端部を収容部材１０に固定することができる。
【００４１】
収容部材１０の形状および大きさは、ディスプレイ用フィルム２１を貼り付ける電子機器１００の形状および大きさにより、変更することができる。同様に、フィルムセット２０の形状および大きさは、電子機器１００およびディスプレイ１１０の形状および大きさにより、変更することができる。
【００４２】
以上、図面を参照して本開示における種々の実施形態を詳細に説明したが、最後に、本開示の種々の態様について説明する。
【００４３】
本考案の第１態様のフィルム貼付装置は、
ディスプレイが配置された表面と前記表面に相対する裏面とを有する電子機器の前記ディスプレイに、ディスプレイ用フィルムを貼り付けるためのフィルム貼付装置であって、
前記電子機器を前記ディスプレイが露出した状態で収容保持可能な凹部が設けられた作業面を有する収容部材と、
前記作業面を被覆可能な位置決め用フィルムと、前記位置決め用フィルムに取り外し可能に接続された前記ディスプレイ用フィルムと、前記位置決め用フィルムと共に前記ディスプレイ用フィルムを挟むように前記ディスプレイ用フィルムに取り外し可能に接続された保護部材とを有するフィルムセットと
を備え、
前記フィルムセットは、
前記ディスプレイ用フィルムが前記凹部に収容保持された前記電子機器の前記ディスプレイに対して位置決めされた状態で、前記位置決め用フィルムの一端部が前記作業面における前記凹部の外側に固定されて、前記位置決め用フィルムの一端部を支点として回転可能であると共に、
前記フィルムセットの回転方向において、前記保護部材が前記位置決め用フィルムよりも前記収容部材の近くに配置されている。
【００４４】
第１態様のフィルム貼付装置によれば、ディスプレイ用フィルムが収容部材の凹部に収容保持された電子機器のディスプレイに対して位置決めされた状態で、位置決め用フィルムの一端部が収容部材の作業面における凹部の外側に固定されて、位置決め用フィルムの一端部を支点として回転可能に構成されている。このような構成により、ディスプレイ用フィルムを電子機器のディスプレイに簡単かつ正確に貼り付け可能なフィルム貼付装置を実現できる。
【００４５】
本考案の第２態様のフィルム貼付装置は、
前記ディスプレイ用フィルムが、ガラスフィルムであり、
前記位置決め用フィルムが、前記位置決め用フィルムの厚さ方向に貫通する貫通孔を有し、前記貫通孔を介して、前記ディスプレイ用フィルムに取り付けられた状態で前記ディスプレイ用フィルムを前記フィルムセットの回転方向に引っ張り可能な治具が、前記ディスプレイ用フィルムに取り付けられる。
【００４６】
第２態様のフィルム貼付装置によれば、ディスプレイ用フィルムを位置決め用フィルムから取り外すことなく、保護部材をディスプレイ用フィルムから容易に取り外すことができる。
【００４７】
本考案の第３態様のフィルム貼付装置は、
前記貫通孔が、
前記フィルムセットの回転軸に直交する方向において、前記位置決め用フィルムの中心よりも前記回転軸から離れて配置されている。
【００４８】
第３態様のフィルム貼付装置によれば、ディスプレイ用フィルムを位置決め用フィルムから取り外すことなく、保護部材をディスプレイ用フィルムからより容易かつより確実に取り外すことができる。
【００４９】
本考案の第４態様のフィルム貼付装置は、
前記収容部材が、
前記作業面における前記凹部の外部に設けられ、前記位置決め用フィルムの前記一端部を保持して前記ディスプレイ用フィルムを前記ディスプレイに対して位置決め可能な位置決め部を有する。
【００５０】
第４態様のフィルム貼付装置によれば、フィルムセットを収容部材に対して容易かつ簡単に位置決めすることができる。その結果、ディスプレイ用フィルムを電子機器のディスプレイに簡単かつ正確に貼り付け可能なフィルム貼付装置を容易に提供することができる。
【００５１】
前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００５２】
１  フィルム貼付装置
２  治具
１０  収容部材
１１  作業面
１２  凹部
１３  位置決め部
１３１、１３２  突起
１４  第１切欠部
１５  第２切欠部
１６  貫通孔
１２１  開口部
２０  フィルムセット
２０１  固定端部
２０２  先端部
２０３  回転軸
２１  ディスプレイ用フィルム
２２  位置決め用フィルム
２２１  位置決め用貫通孔
２２２  治具用貫通孔
２３  保護部材
２３１  突出部
１００  電子機器
１０１  表面
１０２  裏面
１１０  ディスプレイ
ＣＬ  中心線
【図１】
0003220617.tif 000003
【図２】
0003220617.tif 000004
【図３】
0003220617.tif 000005
【図４】
0003220617.tif 000006
【図５】
0003220617.tif 000007
【図６】
0003220617.tif 000008
【図７】
0003220617.tif 000009
【図８】
0003220617.tif 000010
【図９】
0003220617.tif 000011